(57)【要約】【課題】正確な母乳搾乳トレーニングモデルを提供。【解決手段】  模擬乳輪の中心部に模擬乳頭を設けた弾性体からなる模擬乳房と、その下部に模擬乳タンクを設けた母乳搾乳トレーニングモデルであって、前記模擬乳頭と前記模擬乳タンクとの間を複数本の模擬乳管で連結し、模擬乳管の模擬乳タンク側にポンプ機構を設けると共に、シリンジで外部から模擬タンクに模擬乳を供給するようにしたことを特徴とする母乳搾乳トレーニングモデルである。【選択図】  図１
2019095663.tif 000002
【特許請求の範囲】
【請求項１】
模擬乳輪の中心部に模擬乳頭を設けた弾性体からなる模擬乳房と、その下部に模擬乳タンクを設けた母乳搾乳トレーニングモデルであって、前記模擬乳頭と前記模擬乳タンクとの間を複数本の模擬乳管で連結し、模擬乳管の模擬乳タンク側にポンプ機構を設けると共に、シリンジにより外部より模擬タンクに模擬乳を供給するようにしたことを特徴とする母乳搾乳トレーニングモデル。
【請求項２】
前記複数の模擬乳管の内１本は他の模擬乳管より太くすることを特徴とする請求項1に記載の母乳搾乳トレーニングモデル。
【請求項３】
前記模擬乳房をマッサージすることによって初めに太い模擬乳管のみが開通することを特徴とする請求項1又は２に記載の母乳搾乳トレーニングモデル。
【請求項４】
前記模擬乳房は表面が模擬乳房脂肪体を有する２層構造体よりなることを特徴とする請求項1ないし３の何れかの項に記載の母乳搾乳トレーニングモデル。
【発明の詳細な説明】
【技術分野】
【０００１】
この発明は、妊婦が授乳する際に正確に搾乳できるように妊婦又は看護学生が習得するための母乳搾乳トレーニングモデルに関する。
【背景技術】
【０００２】
現在乳児を育てるのに母乳で育てることが推奨されている。その為、授乳が極めて重要な行為である。授乳は母親が乳児に乳を与える行為であるが、授乳が可能になるには母親の手によって乳児に乳房を与え、乳児は母親の乳首をくわえ、乳を吸引、嚥下しなければならない。しかし、乳児には、乳を吸引する力が弱いので、母親が乳房を押さえて、乳を射出しやすくしてやらなければならない。
そこで、従来看護学生や母親指導の支援教材として母親の授乳姿勢や乳頭の含ませ方などを理解するために授乳指導人形や授乳指導用の乳房モデルが開発製造、使用されている。しかし、このような従来の授乳指導用人形や乳房モデルは極めて大雑把なもので、不正確な搾乳部位や手技でも分泌してしまい、例えば乳腺内の分泌を引き起こす正確な部位を知る等授乳の問題に対して踏み込んだものではなかった。
看護学生や母親に授乳姿勢や実際にどの程度の力で乳房を押さえて分泌すべきかという点はなかなか理解し難かった。
【発明の概要】
【発明が解決しようとする課題】
【０００３】
そこで、本発明者は分泌射乳についてより的確に理解するための搾乳トレーニングモデルについて種々検討した結果、本発明を完成したもので、本発明の目的は正確な母乳搾乳トレーニングモデルを提供することである。
即ち、本発明は授乳期の乳房を再現し、特に乳腺内の分泌射乳反射を引き起こす正確な部位と構造を知ることが出来る母乳搾乳トレーニングモデルを提供することである。
【課題を解決するための手段】
【０００４】
本発明の要旨は、模擬乳輪の中心部に模擬乳頭を設けた弾性体からなる模擬乳房と、その下部に模擬乳タンクを設けた母乳搾乳トレーニングモデルであって、前記模擬乳頭と前記模擬乳タンクとの間を複数本の模擬乳管で連結し、模擬乳管の模擬乳タンク側にポンプ機構を設けると共に、シリンジで外部から模擬タンクに模擬乳を供給するようにしたことを特徴とする母乳搾乳トレーニングモデルである。
そして、前記複数本の模擬乳管の内１本は他の模擬乳管より太くすることが好ましく、また、前記模擬乳房をマッサージすることによって初めに太い模擬乳管のみが開通することが好ましい。
更に、前記模擬乳房は表面層が模擬乳房脂肪体を有する２層構造体よりなることが好ましい。
【発明の効果】
【０００５】
以上述べた構成を採ることによって本発明に係る母乳搾乳トレーニングモデルは極めて正確な搾乳手技と搾乳部位でなければ分泌射乳しないトレーニングモデルであって、正確なフィードバックが確認できる母乳搾乳トレーニングモデルを提供することが出来た。
【図面の簡単な説明】
【０００６】
【図１】本発明に係る母乳搾乳トレーニングモデルの断面図
【図２】本発明に係る母乳搾乳トレーニングモデルの模擬乳房の正面図
【発明を実施するための形態】
【０００７】
以下、本発明について更に詳細に説明する。
本発明に係る母乳搾乳トレーニングモデルの模擬乳房は実際の乳房の大きさ、形状を有し、その表面層は模擬脂肪体よりなり、その内部は模擬乳腺を有する弾性体で構成されている。これらの弾性体よりなる模擬乳房を構成する材質は弾性を有するものであれば何れでもよく、特に限定するものではないが、表面層の模擬脂肪体としてシリコーンゲルを、その内部の乳腺を有する部分はウレタンフォームを用いることが好ましい。また、模擬乳房の表面中央部に模擬乳輪乳頭を設ける。模擬乳房、乳輪、乳頭はシリコーンエラストマー等で構成されている。
模擬乳房内部には模擬乳タンクを設け、模擬乳頭と模擬乳タンクの間には複数本からなる模擬乳管を埋め込む。人体では乳管は約２０本程度存在するといわれているが、本発明においては５〜１０本程度でよく、模擬乳管の内径は約      ０．５ｍｍ〜１．０ｍｍである。人体では最初に分泌される初乳の性状は、蜜のように粘性が高い。本発明においては模擬乳管の内径は０．５ｍｍとし、模擬乳管の１本を他の乳管より太く内径1．0mmとした。最初は太い模擬乳管より粘性が高い模擬乳が分泌出来るようにすることが好ましい。模擬乳管の模擬乳首側は開口端として表面に現われて乳口を形成し、他端は球状のポンプを介して模擬乳を収納しているタンクに浸漬している。球状のポンプとしては外径が約１３ｍｍ、内径が約１１ｍｍ程度の大きさを有するものであり、模擬タンクの大きさは容量が約３０ｃｃでタンク径は約４５ｍｍ程度で模擬乳輪からはみ出ない大きさにする。模擬タンクへの模擬乳の供給はシリンジによって行うことが好ましい。
【０００８】
本発明に係る搾乳トレーニングモデルの搾乳操作について説明するに、先ず模擬乳頭、乳輪部の柔軟化を行う。乳頭、乳輪部の柔軟化方法としては図２に示す模擬乳房の模擬乳輪部を指腹で縦方向（模擬乳輪部の上下方向）及び横方向（模擬乳輪部の円周方向）にマッサージを行い、模擬乳頭の中心を圧迫する。的確な手技が行われると、本発明に係るトレーニングモデルの乳輪下に設けたポンプが圧迫されスポイト効果によってタンクより模擬乳が模擬乳口より分泌される。即ち模擬乳管が開通し、分泌と射乳が行われる。
【実施例】
【０００９】
次に実施例として図面を以て具体的に説明する。
図１は本発明に係る母乳搾乳トレーニングモデルの断面図であり、図２は本発明の母乳搾乳トレーニングモデルの正面図である。
図１において、模擬乳房１は表面層として模擬脂肪体２を有し、その中央にリング状の模擬乳輪３があり、該リング状の模擬乳輪３の中心部に模擬乳頭４を設ける。模擬乳頭４の下部に模擬乳を収納する模擬乳タンク６を設け模擬乳頭４と模擬乳タンク６の間に球状のポンプ７を設ける。模擬乳管５の一端は模擬乳頭４の表面に模擬乳口８として現れ、またその他端は球状のポンプ７を介して模擬乳タンク６内に浸漬している。模擬乳タンク６にはシリンジよって模擬乳を供給できるようにする。
このような搾乳トレーニングモデルにおいて図２の模擬乳輪３を縦方向及び横方向にマッサージを行い模擬乳頭４を圧迫すると、最初に太い模擬乳管５の乳口８が開口しポンプのスポイト効果で模擬乳が分泌される。
【産業上の利用可能性】
【００１０】
上述のような搾乳トレーニングモデルを使用することによって正確な搾乳手技と部位を知ることが出来るので、その利用可能性は大きい。
【符号の説明】
【００１１】
１  模擬乳房      ２  模擬乳房脂肪体      ３  模擬乳輪
４  模擬乳頭      ５    模擬乳管      ６    模擬乳タンク
７  ポンプ      ８  乳口
【図１】
2019095663.tif 000003
【図２】
2019095663.tif 000004